(57)【特許請求の範囲】
【請求項１】
化粧品を収納する容器の蓋内側に鏡と、鏡の横に照明灯をつけ、本体の化粧品を収納するスペースと、化粧品を収納するスペースの下部に引き出しを設け、引出し内部と化粧品収納部双方を冷却できる冷却機と冷却機を働かす電源部とからなる冷却装置と、その冷却装置をコントロール及び操作する操作部を設けた、冷却装置付き化粧品ボックスである。
【発明の詳細な説明】
【技術分野】
【０００１】  本発明は化粧品を冷たい状態で使用することで、日焼け時のようにほてった肌を爽快な気持ちで化粧品を使用できるようにするために、常時保存の化粧品を冷却しておき、冷えた化粧品を容易に、また手軽に使えるようにすることを目的とする。
【背景技術】
【０００２】  従来、化粧品を収納するには化粧台の引き出しに収納することもあり、また専用の化粧品収納箱といったものがある。この従来の化粧品収納箱では、内部に仕切りなどを設けて収納の整理をしやすくしたものとか、内部壁に緩衝材を貼り付けたものとかがあるが、このような化粧品収納箱では、収納方法に工夫はあるが、収納保管時に中の化粧品の温度管理のできる専用の化粧品収納箱なかった。【０００３】  このような温度管理のできないところに収納保管している化粧品の温度は室温と同等の温度であり、化粧品を冷えた状態で冷たく使用する場合、冷却収納ができる冷蔵庫に収納しておき、化粧品を使用するときは冷蔵庫まで、わざわざ化粧品を取り出しに行く必要があった。【０００４】  冷蔵庫に収納する場合、冷蔵庫には食品が入っていて、多くの化粧品を入れるスペースを確保しにくいという問題があった。また食品の匂いもあり化粧品を保管するに適する保管場所ではない。
【発明の開示】
【発明が解決しようとする課題】
【０００５】  以上に述べた状況では、化粧品を使う度に冷蔵庫に取り出しに行く、さらに使用後は再び収納のために冷蔵庫に持って行くという手間が生じる。また、得てして台所を使用中に朝の化粧をするといったタイミングがそろうことも多々あり、台所を使用中の人の邪魔になる、あるいは化粧品を使用する人の方が台所を使用している人の邪魔をするといったことが発生する。このような不便な状況を解消し、常に容易に冷たい化粧品を使用することが出来るようにすることを目的とする。
【課題を解決する手段】
【０００６】  本発明は、上記目的を達成するために、化粧品を収納する化粧品箱内に化粧品収納部を冷却する冷却装置を設け、常に化粧品を冷却保管しておけるようにした化粧品専用の収納容器であり、以下符合をもとに説明する。
【０００７】  化粧品ボックスの本体２内部に化粧品を収納するスペースと、その下部に引出し４ａ、引出し４ｂを設け、引出しに冷却したレモンなどの果物の輪切り５を収納できるようにし、引出し４ａ、引出し４ｂ内部と化粧品収納部とを冷却する冷却機６と冷却機６を働かす電源部７とからなる冷却装置と、その冷却装置をコントロール及び操作する操作部を設けた。
【０００８】  また、化粧品の収納部内は化粧品の収納を整理しやすいように仕切り板１１ａを設けておくことも可能で、この仕切り板は固定された状態以外に、仕切り板固定用スライド溝１２を設け、この仕切り板固定用スライド溝１２に沿って本体２内部の化粧品収納部にスライドさせて仕切り板１１ｂを差し込む機構も考えられる。
【０００９】  この仕切り板固定スライド溝１２は適当な複数の個所に儲けて、仕切り板１１ｂの挿入箇所を選ぶことで、化粧品収納部の容積の具合を変えて、化粧品の収納整理を便利にすることも考えられる。
【００１０】  また、化粧品収納部内は中棚１３を置いて小物を置くようにすることも考えられ、この中棚１３を固定するために仕切り板固定スライド溝１２上部に中棚１３の底が設置することで固定され、この中棚１３を設置した状態で蓋１を閉じることができるようにする。
【発明の効果】
【００１１】  上述したように本冷却装置付き化粧品ボックスに収納した化粧品、また引き出し内部の顔パックに使用する果物の輪切りなどを常時適度な温度に冷却しておくことができるために、化粧をするときに、わざわざ冷蔵庫などで冷やした化粧品類を取りに行くという手間とわずらわしさを省くことが可能である。
【００１２】  また、中の化粧品類を冷却するために電力が供給されているので、その電力系統より照明灯を点灯することで、鏡に顔を明るく写すことができるために細部をよく見ることができる。この鏡に部分的に凹面鏡を構成させる、あるいは鏡全体を凹面鏡にして顔を大きく反射視認する効果もある。
【発明を実施するための最良の形態】  以下、本発明の実施の形態を図２に基づいて説明する。【００１３】  図においては、本体２内部の下部に冷却機６とそれを動作させるとともに電力の供給と冷却機６の動作をコントロールする電源部７と、果物の輪切り５を収納する引出しが設けられている。この本体２の側面には電源部７をコントロールするための電源スイッチ８、温度調節器９、照明灯１４の電源を入、切、するための照明灯スイッチ１５が設けられている。【００１４】  蓋１は蝶番機能を果たすように本体２と繋がっており、蓋１内部には鏡３、及び照明灯１４が設けられている。蓋１外部には取手１６を設け、本発明品の設置場所を移動するときに片手で用意に下げられるようにしてある。【００１５】  本体２内部の化粧品を収納する空間部分には、化粧品を収納したとき、本体２内部で化粧品が散乱することを防止するための仕切り板１１ａが設けられている。図３に示すように、仕切り板固定スライド溝１２に沿って仕切り板１１ｂを滑らせて本体２内部に固定設置させることで、化粧品の収納容積具合を変えることができるようにすることも考えられる。【００１６】  また、図１に示すように仕切り板固定スライド溝１２上部に中棚１３の底部が接触することで、中棚１３を本体２内に設置固定できるように設定することも考えられる。【００１７】  引出し４ｂは冷却した果物の輪切り５のみを取り出せるように浅い引出しを形成しており、蓋を開けるときのような内部の冷却空気の漏洩を最小限に食い止めることができる。また、引出し４ｂは用途によって図１、図２、図３に示すように引出し４ａのような本体２の横幅短側面より引き出し可能に配置に構成することもできる。【００１８】  本冷却装置付き化粧品ボックスを冷却機能を使用しない場合は、邪魔にならないように電源コードは一般の電器掃除機にあるごとく、本体２内部に自動巻取り装置を設けることも考えられる。
【図面の簡単な説明】
【００１９】
【図１】本発明品の蓋を開け、中棚を組み合わせ、引き出しを側面に設定している状態を示す斜視図である。
【図２】本発明品の蓋を開け、仕切り板を構成する化粧品収納部の冷却装置、電源部、操作スイッチ類、引き出しをつけた、本発明品の構成を示す斜視図である。
【図３】本発明品の蓋を開け、本体内化粧品収納部にスライド式の仕切り板を取り付ける説明の斜視図である。
【図４】本発明品の蓋を閉じた状態の概観概念を示す斜視図である。
【符合の説明】
【００２０】  １    蓋
２    本体
３    鏡
４ａ    引出し
４ｂ    引出し
５    果物の輪切り
６    冷却機
７    電源部
８    電源スイッチ
９    温度調節器
１０    電器プラグ
１１ａ  仕切り板
１１ｂ  仕切り板
１２    仕切り板固定スライド溝１２
１３    中棚
１４    照明灯
１５    照明灯スイッチ
１６    取手
【図１】
0004405953.tif 000002
【図２】
0004405953.tif 000003
【図３】
0004405953.tif 000004
【図４】
0004405953.tif 000005